(57)【特許請求の範囲】
【請求項１】
光源から射出された光を、映像信号に応じて変調して光学像を形成する画像形成部と、前記光学像を拡大して投射面に投写する投写部と、を備えたプロジェクターにおいて、
前記光学像を形成する画像形成領域のうち、テンプレート画像が描画される描画領域を設定する描画領域設定部と、
前記描画領域に描画される前記テンプレート画像を生成するテンプレート画像生成部と、
前記投写部によって前記投射面に投写された投写画像を撮像する撮像部と、
前記テンプレート画像を投写させるための描画モードの実行開始の指示入力を受けて、前記描画モードを開始する制御部と、
を有し、
前記制御部は、
前記描画モードの開始に応じて、前記撮像部を制御して前記投射面を撮像し、撮像された撮像画像に前記描画領域の指定情報が含まれる場合、前記描画領域設定部を制御して、前記指定情報に基づいて前記描画領域を設定させ、前記投写部を制御して、設定された前記描画領域に前記テンプレート画像を投写させることを特徴とするプロジェクター。
【請求項２】
光源から射出された光を、映像信号に応じて変調して光学像を形成する画像形成部と、前記光学像を拡大して投射面に投写する投写部と、を備えたプロジェクターにおいて、
前記光学像を形成する画像形成領域のうち、テンプレート画像が描画される描画領域を設定する描画領域設定部と、
前記描画領域に描画される前記テンプレート画像を生成するテンプレート画像生成部と、
前記テンプレート画像を投写させるための描画モードの実行開始の指示入力を受けて、前記描画モードを開始する制御部と、
を有し、
前記制御部は、
前記描画モードの開始に応じて、前記テンプレート画像が描画される描画領域の指定操作を受け付ける映像を生成し、前記投写部を制御して前記映像を投射面に投写させ、前記描画領域を指定する操作の入力情報を検出した場合、前記描画領域設定部を制御して、前記入力情報に基づいて前記描画領域を設定させ、前記投写部を制御して、設定された前記描画領域に前記テンプレート画像を投写させることを特徴とするプロジェクター。
【請求項３】
前記描画領域設定部は、前記描画領域の形状を指定する形状指定情報の入力に応じて、前記描画領域の形状を設定することを特徴とする請求項１又は２に記載のプロジェクター。
【請求項４】
前記テンプレート画像生成部は、前記描画領域の大きさに応じたテンプレート画像を生成することを特徴とする請求項１〜３の何れかに記載のプロジェクター。
【請求項５】
前記テンプレート画像生成部は、前記テンプレート画像の種類を指定する種類指定情報の入力に応じて、前記テンプレート画像を生成することを特徴とする請求項１〜４の何れかに記載のプロジェクター。
【請求項６】
光源から射出された光を、映像信号に応じて変調して光学像を形成する画像形成部と、前記光学像を拡大して投射面に投写する投写部と、前記投写部によって投写された投写画像を撮像する撮像部と、を備えたプロジェクターの制御方法であって、
テンプレート画像を投写させるための描画モードの実行開始の指示入力を受けて、前記描画モードを開始するステップと、
前記描画モードの開始に応じて、前記投射面を撮像するステップと、
撮像された撮像画像に前記テンプレート画像が描画される描画領域の指定情報が含まれる場合、前記指定情報に基づいて前記描画領域を設定するステップと、
前記描画領域に描画される前記テンプレート画像を生成するステップと、
設定された前記描画領域に前記テンプレート画像を投写するステップと、
を有することを特徴とするプロジェクターの制御方法。
【請求項７】
光源から射出された光を、映像信号に応じて変調して光学像を形成する画像形成部と、前記光学像を拡大して投射面に投写する投写部と、を備えたプロジェクターの制御方法であって、
テンプレート画像を投写させるための描画モードの実行開始の指示入力を受けて、前記描画モードを開始するステップと、
前記描画モードの開始に応じて、前記テンプレート画像が描画される描画領域の指定操作を受け付ける映像を生成し、前記映像を前記投射面に投写するステップと、
前記描画領域を指定する操作の入力情報を検出した場合、前記入力情報に基づいて前記描画領域を設定するステップと、
前記描画領域に描画される前記テンプレート画像を生成するステップと、
設定された前記描画領域に前記テンプレート画像を投写するステップと、
を有することを特徴とするプロジェクターの制御方法。
【発明の詳細な説明】
【技術分野】
【０００１】
本発明は、プロジェクター及びその制御方法に関する。
【背景技術】
【０００２】
近年、ホワイトボードを投写用のスクリーンとして使用し、ホワイトボード上に投写画像をプロジェクターによって投写しながら、プレゼンテーションを行なう形態が知られている。このようなプロジェクターの使用形態では、マーカーによってホワイトボード上へコメントやアンダーラインを直接記載できるようにしたり、途中で、例えば議論を整理するためにホワイトボードに表を作ったりすることができる。
【０００３】
特許文献１には、装置内蔵又は着脱自在なメモリーに、複数の罫線により構成されるテンプレート画像を記憶させておき、使用時には、所定の操作に応じて記憶してあるテンプレート画像をスクリーンに投影させる投影装置が開示されている。特許文献１の投影装置によれば、複数の罫線により構成されるテンプレート画像をスクリーンに投影させることができるので、ユーザーがマーカーでスクリーン上に表を直接記載する必要がなく、作業性を向上させることができる。
【先行技術文献】
【特許文献】
【０００４】
【特許文献１】特開２００４−１９８８５８号公報
【発明の概要】
【発明が解決しようとする課題】
【０００５】
しかしながら、特許文献１に記載のプロジェクターの場合、罫線によるテンプレート画像は、通常投写領域全体に投写される。このため、ホワイトボードのほぼ全面にテンプレート画面が拡大されて投写されるので、テンプレート画像を投写している間は、ホワイトボードにメモや議事録等の書込みを行なうことができない。すなわち、投写領域に占めるテンプレート画像の割合をユーザーが自由に設定することができなかった。
【０００６】
本発明は上記課題を解決するためになされたものであって、投写領域に占めるテンプレート画像の割合をユーザーが自由に設定することができるプロジェクター及びプロジェクターの制御方法を提供することを目的とする。
【課題を解決するための手段】
【０００７】
上記課題を解決することのできる本発明は、光源から射出された光を、映像信号に応じて変調して光学像を形成する画像形成部と、前記光学像を拡大して投写する投写部と、を備えたプロジェクターにおいて、前記光学像を形成する画像形成領域のうち、テンプレート画像が描画される描画領域を設定する描画領域設定部と、前記描画領域に描画される前記テンプレート画像を生成するテンプレート画像生成部と、を有することを特徴とする。
上記構成によれば、テンプレート画像が描画される描画領域を設定することができるので、描画領域以外の他の領域には、テンプレート画像は描画されない。つまり、テンプレート画像は投写面の一部に投写されるだけなので、罫線や方眼などのテンプレート画像を投写している間であっても、その他の部分において他の書込みや他の利用が可能となる。
【０００８】
また、本発明のプロジェクターは、前記投写部によって投写された投写画像を撮像する撮像部を更に有し、前記描画領域設定部は、前記撮像部によって撮像された撮像画像に含まれる描画領域指定情報に基づいて前記描画領域を設定することが好ましい。
上記構成によれば、例えばユーザーがマーカーなどで、投写画像上にテンプレート画像が投写される領域を指定するためのマークを印せば、プロジェクターは撮像画像に含まれるそのマークを描画領域指定情報として取得することができる。したがって、メニュー画面等に切り替えることなく、描画領域を指定することができる。
【０００９】
また、本発明のプロジェクターにおいて、前記描画領域設定部は、前記描画領域を指定する描画領域指定操作の入力に応じて、前記描画領域を設定することが好ましい。
上記構成によれば、例えば、ユーザーがメニュー画面等から描画領域を指定する操作を行うことで、プロジェクターは描画領域指定情報を取得することができる。このため、撮像部を備えていないプロジェクターにも適用することができる。
【００１０】
また、本発明のプロジェクターにおいて、前記描画領域設定部は、前記描画領域の形状を指定する形状指定情報の入力に応じて、前記描画領域の形状を設定することが好ましい。
上記構成によれば、描画領域の形状を設定することができるので、投写面を更に有効活用することができる。
【００１１】
また、本発明のプロジェクターにおいて、前記テンプレート画像生成部は、前記描画領域の大きさに応じたテンプレート画像を生成することが好ましい。
上記構成によれば、指定した描画領域の大きさに応じたテンプレート画像を描画するので、例えば、罫線や方眼が描画される描画領域が画像形成領域に対して小さすぎたり、大きすぎたりすることを防止し、バランスの良いテンプレート画像を投写することができる。
【００１２】
また、本発明のプロジェクターにおいて、前記テンプレート画像生成部は、前記テンプレート画像の種類を指定する種類指定情報の入力に応じて、前記テンプレート画像を生成することが好ましい。
上記構成によれば、テンプレート画像の種類を指定することができるので、ユーザーの用途に応じたテンプレート画像へ適宜変更することもでき、効果的なプレゼンテーションを行なうことが可能となる。
【００１３】
また、上記課題を解決することのできる本発明は、光源から射出された光を、映像信号に応じて変調して光学像を形成する画像形成部と、前記光学像を拡大して投写する投写部と、を備えたプロジェクターの制御方法であって、前記光学像を形成する画像形成領域のうち、テンプレート画像が描画される描画領域を設定するステップと、前記描画領域に描画される前記テンプレート画像を生成するステップと、を有することを特徴とする。
上記構成によれば、テンプレート画像が描画される描画領域を設定することができるので、描画領域以外の他の領域には、テンプレート画像は描画されない。したがって、一部分に罫線や方眼などのテンプレート画像を投写している間であっても、その他の部分において他の書込みや他の利用が可能となる。
【図面の簡単な説明】
【００１４】
【図１】本実施形態のプロジェクターの外観斜視図である。
【図２】本実施形態のプロジェクターの内部構成を示すブロック図である。
【図３】実施例１の描画領域を設定する処理を説明するためのフローチャートである。
【図４】本実施形態のプロジェクターが備える撮像部によって撮像された撮像データの一例を示した図である。
【図５】描画領域にテンプレート画像が描画された画像データの一例を示した図である。
【図６】撮像部によって撮像された撮像データの他の例を示した図である。
【図７】描画領域にテンプレート画像が描画された画像データの他の例を示した図である。
【図８】撮像部によって撮像された撮像データの他の例を示した図である。
【図９】描画領域にテンプレート画像が描画された画像データの他の例を示した図である。
【図１０】実施例２の描画領域を設定する処理を説明するためのフローチャートである。
【図１１】ホワイトボードに投写される描画モード設定メニューの一例を示した図である。
【発明を実施するための形態】
【００１５】
以下、本発明に係るプロジェクター及びその制御方法の好適な実施形態について、図面を参照して詳細に説明する。
【００１６】
図１に示すように、筐体３に覆われたプロジェクター１は、前面２に投写レンズ５が装備され、前面２寄りの上面６には、プロジェクター１の動作状態を示す状態インジケーター８が装備されている。また、筐体３の上面６と対向する下面７の前面側には、後述のリモートコントローラーＲＣ（以下、「リモコンＲＣ」という。）の出力信号を受信する受信部９が設けられている。
【００１７】
＜プロジェクターの内部構成について＞
次に、本実施形態のプロジェクターの内部構成について図２を参照して説明する。
図２に示すように、プロジェクター１は、光源であるランプ１１と、光変調手段である液晶ライトバルブ１２Ｒ，１２Ｇ，１２Ｂ（以下、「液晶ライトバルブ１２Ｒ，Ｇ，Ｂ」という。）と、投写光学系１３と、液晶ライトバルブ駆動部１４と、制御部２０と、映像音声処理部３２と、フレームメモリー３３と、映像処理部３４と、音声処理部３５と、スピーカー３６と、ＯＳＤ（On Screen Display）処理部３８と、ランプ駆動部４０と、操作信号処理部４３と、操作パネル４４と、撮像部４５と、入力端子６１と、撮像画像記憶部６２と、描画領域設定部６３と、テンプレート画像生成部６４と、を備えている。
【００１８】
投写光学系１３（投写部）は投写レンズ５を有している。プロジェクター１は、入力端子６１から供給される映像信号に応じた光学像を投写し、投写レンズ５を介して、スクリーン、白壁又はホワイトボード等の被投写体（以下、本実施形態では「ホワイトボードＷＢ」という。）に拡大して投写する。
【００１９】
なお、本実施形態のランプ１１には、例えば放電式ランプが用いられるが、本発明はこれに限らず、ＬＥＤ光源やレーザー光源など任意の光源を用いても良い。
【００２０】
制御部２０は、映像信号処理部３２、ＯＳＤ処理部３８、ランプ駆動部４０、操作信号処理部４３、撮像部４５、描画領域設定部６３及びテンプレート画像生成部６４と接続されている。この制御部２０は、マイクロプロセッサと、書き換え可能な不揮発性の記憶部と、マイクロプロセッサが直接アクセスすることができる主記憶部と、を備えている。不揮発性の記憶部には、プロジェクター１の各種動作を制御するための制御プログラム、描画領域を設定するための描画モード設定メニュー映像、台形歪補正量の表示などのＯＳＤ映像を生成するためのＯＳＤ情報を記憶するとともに、プロジェクター１の各種設定値等が記憶されている。
【００２１】
マイクロプロセッサは、不揮発性の記憶部に記憶された制御プログラム等を実行して、プロジェクター１の動作を統括制御し、制御部２０に接続された各部から入力される各種データを演算するとともに、演算結果を各部に出力する。
【００２２】
映像音声処理部３２は、入力端子６１から受信した映像信号をデコードして圧縮符号化前の映像データに変換し、これらをたとえばＲＧＢ信号に変換して順次映像処理部３４に出力する。また、音声入力端子から入力される音声信号についても同様にデコードを行い、Ｄ／Ａ変換により音声データに変換し、順次音声処理部３５に出力する。映像音声処理部３２にはフレームメモリー３３が接続されており、映像データを１フレーム毎にフレームメモリー３３に記憶させるとともに、フレームメモリー３３に記憶された映像データを読み出す。
【００２３】
映像処理部３４は、映像音声処理部３２より受信したＲＧＢ信号に対してγ補正処理、台形補正処理、解像度変換処理などを行い、液晶ライトバルブ駆動部１４に出力する。
【００２４】
液晶ライトバルブ駆動部１４は、入力されたＲＧＢ信号に応じて、液晶ライトバルブ１２Ｒ，１２Ｇ，１２Ｂを駆動する。各液晶ライトバルブ１２Ｒ，Ｇ，Ｂ（画像形成部）は、マトリクス状の複数の画素を備えている。液晶ライトバルブ駆動部１４により各画素の透過率が調整されることにより、ランプ１１から射出され、色光分離光学系によって各色光に分離された、Ｒ（赤）、Ｇ（緑），Ｂ（青）の各色光を対応する液晶ライトバルブ１２Ｒ，Ｇ，Ｂによって変調して光学像を射出する。液晶ライトバルブ１２Ｒ，Ｇ，Ｂから射出される光学像は、クロスダイクロイックプリズムなどの合成光学系により合成され、投写光学系１３の投写レンズ５によってホワイトボードＷＢ上に拡大投写される。また、投写光学系１３には、投写光の焦点を変更可能なフォーカス機構と、投写光の拡大率を変更可能なズーム機構とが備えられている。
【００２５】
音声処理部３５は、映像音声処理部３２より受信した音声データをスピーカー３６に出力する。なお、音声処理部３５は、音量増幅部を有しており、音量の増幅を行ってスピーカー３６に出力する。これにより、スピーカー３６は、増幅されて入力するアナログ音声信号を出力する。
【００２６】
ＯＳＤ処理部３８は、メニュー映像や映像入力端子を検出する際の映像等のＯＳＤ情報を制御部２０から受信して、ＯＳＤ映像を生成する。また、生成したＯＳＤ映像と映像処理部３４から受信した映像データを合成し、液晶ライトバルブ駆動部１４へ送信する。
【００２７】
ランプ駆動部４０は、制御部２０からの指示に従って、ランプ１１を点灯又は消灯させる点灯手段であり、例えばランプ１１が高圧放電灯の場合には、始動電圧を印加する点灯回路や、適正なランプ電流を供給する安定器などにより構成される。
【００２８】
操作信号処理部４３は、操作パネル４４又はリモコンＲＣから入力された操作信号を受信し、これを制御部２０に出力する。
【００２９】
撮像部４５は、プロジェクター１の投写光学系１３から射出された映像光が投写された投写面、ここではホワイトボードＷＢを撮像するものであり、ＣＣＤ（Charge Coupled Device）センサーやＣＭＯＳ（Complementary Metal Oxide Semiconductor）センサー等の撮像素子を備えている。撮像部４５は、制御部２０の指示に基づいて、ホワイトボードＷＢの少なくとも投写画像を含む範囲を撮像する。撮像された撮像データ（撮像画像）は、撮像画像記憶部６２に記憶される。
【００３０】
描画領域設定部６３は、制御部２０からの指示に応じて、各液晶ライトバルブ１２Ｒ，Ｇ，Ｂの各画素によって構成される画像形成領域のうち、テンプレート画像が描画される描画領域を設定する。なお、描画領域設定部６３は、撮像部４５によって撮像された撮像データに含まれる描画領域指定情報に基づいて描画領域を設定する。また、描画領域を指定する描画領域指定操作の入力に応じて、描画領域を設定することもできる。さらに、描画領域設定部６３は、描画領域の形状を指定する形状指定情報の入力に応じて、描画領域の形状を設定する。
【００３１】
テンプレート画像生成部６４は、テンプレート画像を生成する。生成したテンプレート画像を含む画像データをＲＧＢ信号に変換して映像処理部３４に出力する。本実施形態においてテンプレート画像は、例えば罫線や方眼のような定型的な画像である。このようにプロジェクター１にテンプレート画像生成部６４を備えることによって、パソコン等に接続することなくプロジェクター１単体で罫線や方眼を投写することができる。
【００３２】
また、テンプレート画像生成部６４は、描画領域設定部６３によって設定された描画領域の大きさに応じたテンプレート画像を生成する。例えば、画像形成領域に対する描画領域の割合に応じて罫線の幅や本数を変更したり、方眼の眼の大きさを変更することができる。さらに、テンプレート画像生成部６４は、テンプレート画像の種類を指定する種類指定情報の入力に応じて、テンプレート画像を生成する。種類指定情報としては、罫線の線の種類や太さ、テンプレート画像の色などの情報がある。
【００３３】
＜描画領域を設定する処理について＞
（実施例１）
次に、本実施形態のプロジェクターが実行する描画領域を設定する処理について説明する。実施例１として、ユーザーが描画領域設定情報として、ホワイトボードＷＢにマーカー等で印した領域指定マークに基づいて描画領域を設定する処理について図３〜図５を参照して説明する。
【００３４】
まずユーザーは、会議などの議事録をホワイトボードＷＢ上の一部分に記載するにあたって、文字を記載する際の目安となる罫線を投写させたいと考え、ホワイトボードＷＢの所望の位置にマーカーで印を付ける。例えば、矩形の領域を指定したい場合は、４点の印「+」を付ける。次に、罫線を投写させるための描画モードを実行するため、リモコンＲＣや操作パネル４４の操作ボタンを使って描画モードの実行開始を指示する。
【００３５】
制御部２０は、操作信号処理部４３から操作信号を受けると、描画モードを開始し（ステップＳ１１：Ｙｅｓ）、撮像部４５に対してホワイトボードＷＢを撮像するよう指示する。撮像部４５は、制御部２０からの指示にしたがってホワイトボードＷＢを撮像し（ステップＳ１３）、撮像データを取得する。図４は撮像データの一例を示している。図４に示すように、撮像データ７０Ａにはユーザーが印した４つのマーク７１，７２，７３，７４が含まれている。
【００３６】
次に、描画領域設定部６３は、制御部２０からの指示に応じて撮像画像記憶部６２に記憶された撮像データ７０Ａを、液晶ライトバルブ１２Ｒ，Ｇ，Ｂに描画することが可能な画素数に応じた大きさのデータに変換し、４点のマーク７１，７２，７３，７４の座標を取得する。
【００３７】
描画領域設定部６３は、マーク７１，７２，７３，７４の座標が取得できた場合は、描画領域が指定されていると判定し（ステップＳ１５：Ｙｅｓ）、この４点を結んだ領域を描画領域７５Ａとして設定する（ステップＳ１９）。描画領域７５Ａが設定されると、制御部２０はテンプレート画像生成部６４に対して、描画領域７５Ａに描画するテンプレート画像を生成するよう指示する。テンプレート画像生成部６５は、制御部２０からの指示に応じて、図５に示すように描画領域７５Ａにテンプレート画像７７Ａが描画された画像データ８０Ａを生成し、ＲＧＢ信号に変換して映像処理部３４に出力する。
【００３８】
映像処理部３４は、テンプレート画像生成部６４から受信した画像データ８０のＲＧＢ信号に対してγ補正処理、台形補正処理、解像度変換処理などを行い、液晶ライトバルブ駆動部１４に出力する。液晶ライトバルブ駆動部１４は、入力されたＲＧＢ信号に応じて、液晶ライトバルブ１２Ｒ，Ｇ，Ｂの画像形成領域に画像を描画させて光学像を形成し、投写光学系１３によって光学像が投写される。つまり、液晶ライトバルブ駆動部１４が、液晶ライトバルブ１２Ｒ，Ｇ，Ｂの画像形成領域のうち、描画領域７５Ａに対応する画素にテンプレート画像７５Ａを描画することによって、ホワイトボードＷＢの一部に罫線が投写される（ステップＳ１９）。
【００３９】
一方、ステップＳ１５において、描画領域設定部６３が、４点のマーク７１，７２，７３，７４の座標が取得できず、描画領域が指定されていないと判定した場合は（ステップＳ１５：Ｎｏ）、制御部２０はテンプレート画像生成部６４に対して、液晶ライトバルブ１２Ｒ，Ｇ，Ｂの画像形成領域全体に描画するテンプレート画像を生成するよう指示する。つまり、テンプレート画像生成部６４は、制御部２０からの指示に応じて、画像形成領域全体に描画するテンプレート画像を生成し、ＲＧＢ信号に変換して映像処理部３４に出力する。
【００４０】
映像処理部３４は、テンプレート画像生成部６４から受信したテンプレート画像のＲＧＢ信号に対してγ補正処理、台形補正処理、解像度変換処理などを行い、液晶ライトバルブ駆動部１４に出力する。液晶ライトバルブ駆動部１４は、入力されたＲＧＢ信号に応じて、液晶ライトバルブ１２Ｒ，Ｇ，Ｂの画像形成領域に対応する画素にテンプレート画像を描画することによって、ホワイトボードＷＢのほぼ全面に罫線が投写される（ステップＳ２１）。
【００４１】
なお、上記実施例では、描画領域を４点で指定したが、矩形の対角線を構成する２点のみを指定してもよい。また、描画領域は矩形に限らず、図６に示した撮像データ７０Ｂのように、画像形成領域を２分割する線７８によって指定してもよい。２分割した場合は、図７に示すように画像データ８０Ｂの何れかの領域が描画領域７５Ｂとして設定され、描画領域７５Ｂに罫線のテンプレート画像７７Ｂが描画される。
【００４２】
また、図８に示す撮像データ７０Ｃのように、画像形成領域を楕円７９によって指定してもよい。楕円７９で指定した場合は、図９に示すように画像データ８０Ｃの楕円内部が描画領域７５Ｃとして設定され、描画領域７５Ｃに罫線のテンプレート画像７７Ｃが描画される。
【００４３】
（実施例２）
次に、実施例２について図１０及び図１１を参照して説明する。実施例２では、設定メニューから描画領域を指定する処理について説明する。
【００４４】
ユーザーは、会議などの議事録をホワイトボードＷＢ上の一部分に記載するにあたって、文字を記載する際の目安となる罫線を投写させるため、リモコンＲＣや操作パネル４４の操作ボタンを使って描画モードの実行を指示する。制御部２０は、操作信号処理部４３から操作信号を受けると描画モードを開始し（ステップＳ３１：Ｙｅｓ）、ＯＳＤ処理部３８に対して描画モード設定メニューに関するＯＳＤ映像を生成するよう指示する。
【００４５】
投写光学系１３は、ＯＳＤ映像の映像光を投写すると、ホワイトボードＷＢには、図１１に示す描画モード設定メニュー９０が投写される（ステップＳ３３）。ユーザーは、描画モード設定メニュー９０に表示された各設定項目について操作パネル４４やリモコンＲＣの選択ボタン等で設定値を選択する。ここでは、描画領域の形状、テンプレート画像の種類や線種が設定可能である。例えば、ユーザーは、描画領域の形状を「矩形」、テンプレート画像の種類を「罫線」、線種を「実線」として設定し、最後に決定ボタン９１を選択する（ステップＳ３５）。
【００４６】
制御部２０は、決定ボタン９１の操作信号を操作信号処理部４３から受信すると、ＯＳＤ処理部３８に描画領域の指定操作の入力を受け付ける映像を生成し、投写させる。例えば、カーソル「+」を表示して「始点を指定してください」と操作案内文を表示したり、決定ボタンで始点を指定した後に、「終点を指定してください」と操作案内文を表示する。矩形の場合は、始点と終点を決定することで始点と終点で対角線を構成する矩形の描画領域を指定することができる。また、楕円の場合は、始点と終点を決定することで、２つの焦点を有する楕円の描画領域を指定することができる。
【００４７】
制御部２０は、上述したような描画領域の指定操作の入力を検出すると（ステップＳ３７：Ｙｅｓ）、描画領域設定部６３は、指定操作によって指定された領域を描画領域として設定する（ステップＳ３９）。描画領域が設定されると、制御部２０はテンプレート画像生成部６４に対して、描画領域に描画するテンプレート画像を生成するよう指示する。テンプレート画像生成部６５は、制御部２０からの指示に応じて、描画領域にテンプレート画像を含む画像データを生成し、ＲＧＢ信号に変換して映像処理部３４に出力する。
【００４８】
映像処理部３４は、テンプレート画像生成部６４から受信した画像データのＲＧＢ信号に対してγ補正処理、台形補正処理、解像度変換処理などを行い、液晶ライトバルブ駆動部１４に出力する。液晶ライトバルブ駆動部１４は、入力されたＲＧＢ信号に応じて、液晶ライトバルブ１２Ｒ，Ｇ，Ｂの画像形成領域によって光学像が形成され、投写光学系１３によって投写される。つまり、液晶ライトバルブ駆動部１４が、液晶ライトバルブ１２Ｒ，Ｇ，Ｂの画像形成領域のうち、描画領域に対応する画素にテンプレート画像を描画することによって、ホワイトボードＷＢの一部に罫線が投写される（ステップＳ４１）。
【００４９】
一方、ステップＳ３７において、制御部２０は、描画領域の指定操作の入力を検出できなかった場合は（ステップＳ３７：Ｎｏ）、テンプレート画像生成部６４に対して、ステップＳ３５において入力された設定値に基づいて、液晶ライトバルブ１２Ｒ，Ｇ，Ｂの画像形成領域全体に描画するテンプレート画像を生成するよう指示する。テンプレート画像生成部６５は、制御部２０からの指示に応じて、画像形成領域全体に描画するテンプレート画像を生成し、ＲＧＢ信号に変換して映像処理部３４に出力する。
【００５０】
映像処理部３４は、テンプレート画像生成部６４から受信したテンプレート画像のＲＧＢ信号に対してγ補正処理、台形補正処理、解像度変換処理などを行い、液晶ライトバルブ駆動部１４に出力する。液晶ライトバルブ駆動部１４は、入力されたＲＧＢ信号に応じて、液晶ライトバルブ１２Ｒ，Ｇ，Ｂの画像形成領域に対応する画素にテンプレート画像を描画することによって、ホワイトボードＷＢのほぼ全面に実線の罫線が投写される（ステップＳ４３）。
【００５１】
なお、上述した実施例１及び実施例２によって設定された描画領域の座標や設定情報は、制御部２０が備える、書き換え可能な不揮発性の記憶部に記憶してもよい。不揮発性の記憶部に記憶しておくことによって、電源ＯＦＦ後においても設定値を読み出して、同じ位置に同じテンプレート画像を表示することができる。
【００５２】
このように、本実施形態のプロジェクターによれば、テンプレート画像７７Ａが描画される描画領域７５Ａを設定することができるので、描画領域以外の他の領域には、テンプレート画像７７Ａは描画されない。つまり、テンプレート画像７７ＡはホワイトボードＷＢの一部に投写されるだけなので、罫線や方眼などのテンプレート画像を投写している間であっても、その他の部分において他の書込みや他の利用が可能となる。
【００５３】
なお、上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００５４】
１：プロジェクター、１１：ランプ、１２Ｒ，Ｇ，Ｂ：液晶ライトバルブ、１３：投写光学系、１４：液晶ライトバルブ駆動部、２０：制御部、３２：映像音声処理部、３３：フレームメモリー、３４：映像処理部、４０：ランプ駆動部、４３：操作信号処理部、４４：操作パネル、６１：入力端子、６２：撮像画像記憶部、６３：描画領域設定部、ＲＣ：リモコン、ＳＣ：スクリーン。
【図１】
0005556150.tif 000002
【図２】
0005556150.tif 000003
【図３】
0005556150.tif 000004
【図４】
0005556150.tif 000005
【図５】
0005556150.tif 000006
【図６】
0005556150.tif 000007
【図７】
0005556150.tif 000008
【図８】
0005556150.tif 000009
【図９】
0005556150.tif 000010
【図１０】
0005556150.tif 000011
【図１１】
0005556150.tif 000012